(57)【要約】    【課題】着脱時にディスクに無用な力が加わらずに済み、着脱操作性が良好なディスク保持装置を提供する。    【解決手段】情報記録ディスク６の中心孔２８に嵌め込まれる嵌合部（クランプホルダ２９）と、中心孔に嵌合部を嵌め込んだ際に中心孔に当接可能なように径方向変位自在に嵌合部に内設された係止部材（クランプ片３１・ボール４１）とを備え、回転駆動されるターンテーブル３に設けられるディスク保持装置２１において、ターンテーブルと一体であり且つ上下に軸方向変位自在な支持軸１０と、該支持軸の軸方向変位を係止部材の径方向変位に変換する変換手段（円錐カム３４）と、支持軸に軸方向変位を与えるための駆動手段（カム部１２・４７）とを有するものとする。【選択図】図４
2007220199.tif 000002
【特許請求の範囲】
【請求項１】
情報記録ディスクの中心孔に嵌め込まれる嵌合部と、前記中心孔に前記嵌合部を嵌め込んだ際に前記中心孔に当接可能なように径方向変位自在に前記嵌合部に内設された係止部材とを備え、回転駆動されるターンテーブルに設けられるディスク保持装置であって、
前記ターンテーブルと一体であり且つ上下に軸方向変位自在な支持軸と、
該支持軸の軸方向変位を前記係止部材の径方向変位に変換する変換手段と、
前記支持軸に軸方向変位を与えるための駆動手段と、を有することを特徴とする情報記録ディスクの保持装置。
【発明の詳細な説明】
【技術分野】
【０００１】
本発明は、光ディスクや光磁気ディスクなどの情報記録ディスクを、再生機などのターンテーブルに保持させるための保持装置に関するものである。
【背景技術】
【０００２】
例えばＣＤやＤＶＤに代表される情報記録ディスクの再生機は、ディスク駆動用ターンテーブルにディスクを保持するために、ディスクの中心孔の周囲をターンテーブルに押し当てるための保持プレートを備えることが一般的である。このような、ターンテーブルと保持プレートとでディスクの中心部を両面から挟み込む形式のものは、機構が複雑になりがちである上、保持プレートの設置部を要する分、小型化が困難である。そこで、ディスクの中心孔の内周をチャッキングする保持装置をターンテーブル側のみに設けたものが提案されている（特許文献１を参照されたい）。
【特許文献１】特開平３−１５７８５９号公報
【発明の開示】
【発明が解決しようとする課題】
【０００３】
しかるに、文献１に記載のディスク保持装置によると、ディスクの中心孔に加わる径方向外向きの弾発付勢力に抗してディスクを着脱しなければならないので、ターンテーブルに載せたディスクを上から強く押し付けないと保持装置が働かず、ターンテーブルに対するディスクの装着が不完全になることがあり得た。またターンテーブルからディスクを取り外す際には、強引に引き剥がすようにディスクを持ち上げる必要があるので、ディスクに無用な力が加わり、ディスクが傷つく心配があった。
【０００４】
本発明は、このような従来技術の問題点を解消するために案出されたものであり、その主な目的は、着脱時にディスクに無用な力が加わらずに済み、着脱操作性が良好なディスク保持装置を提供することにある。
【課題を解決するための手段】
【０００５】
このような課題を解決するため、本発明は、情報記録ディスク６の中心孔２８に嵌め込まれる嵌合部（クランプホルダ２９）と、中心孔に嵌合部を嵌め込んだ際に中心孔に当接可能なように径方向変位自在に嵌合部に内設された係止部材（クランプ片３１・ボール４１）とを備え、回転駆動されるターンテーブル３に設けられるディスク保持装置２１において、前記ターンテーブルと一体であり且つ上下に軸方向変位自在な支持軸１０と、該支持軸の軸方向変位を前記係止部材の径方向変位に変換する変換手段（円錐カム３４）と、前記支持軸に軸方向変位を与えるための駆動手段（カム部１２・４７）とを有することを特徴とするものとした。
【発明の効果】
【０００６】
このような本発明の構成によれば、ターンテーブルの支持軸を上下に軸方向変位させると、その運動に連動して係止部材が情報記録ディスクの中心孔に接離移動するので、ディスクの着脱時にはディスクの中心孔から係止部材が退避しているように構成することができる。従って、本発明により、着脱時にディスクに無用な力が加わらずに済み、着脱操作性を高める上に多大な効果を奏することができる。
【発明を実施するための最良の形態】
【０００７】
以下に添付の図面を参照して本発明について詳細に説明する。
【実施例１】
【０００８】
図１及び図２は、本発明によるディスク保持装置が適用されたディスク再生機のキャリアアームの概略を示している。このキャリアアーム１は、ディスク再生機のシャシーに設けられた固定軸２にその一端が旋回動自在に支持されており、積層された複数のディスクのうちの選択した１つのディスクを境にしてディスク層を上下に分離させ、その他端に支持されたディスク駆動用のターンテーブル３を上下のディスク間に進入させるようにしてなるものである。つまり本実施例は、ディスクチェンジャ付きディスク再生機への適用例を示しており、キャリアアーム１には、ディスク駆動用ターンテーブル３の他に、旋回移動用の駆動装置（図示せず）、光学ヘッド４及びヘッド移動装置５なども設けられるが、本発明に係るディスク保持装置は、ディスクチェンジャ付きディスク再生機のみに対する適用に限定されるものではないので、以下、ディスク保持装置に直接関連しない部分の説明は省略する。
【０００９】
キャリアアーム１には、ターンテーブル３に設けられたディスク保持装置（後に詳述する）に対してディスク６を保持する状態と解放する状態とを選択的に設定するための操作レバー７が、ターンテーブル側（他端）に設けられ、操作レバー７を駆動するためのモータ８が、固定軸側（一端）に設けられている。そしてモータ８と操作レバー７との間を連動連結するスライドバー９が、キャリアアーム１の下面に沿って延設されている。
【００１０】
操作レバー７は、概ね扇形をなし（図２参照）、キャリアアーム１の他端側におけるターンテーブル３の支持軸１０の半径方向外側位置に下向きに突設されたピン軸１１により、キャリアアーム１の下方に軸支されている。そして操作レバー７の外周側におけるターンテーブル３の支持軸１０の下端に対応する側には、適宜な角度の円弧状カム部１２が設けられ、ピン軸１１を置いて円弧状カム部１２から遠ざかる側には、ピン１３が上向きに突設されている。
【００１１】
スライドバー９は、その一端に板ナット部１４が設けられ、操作レバー駆動用モータ８の軸には、板ナット部１４の雌ねじに螺合する雄ねじが設けられたスクリュー軸１５が固着されている。またスライドバー９の他端には、操作レバー７を支持したピン軸１１を挿通すべくスライドバー９の長手方向に沿う長孔１６と、操作レバー７に突設されたピン１３に係合すべく長孔１６に直交する向きのスロット１７とが設けられている。そしてスライドバー９は、モータ８に設けられたスクリュー軸１５に板ナット部１４を螺着させることで一端の位置が規定され、キャリアアーム１のターンテーブル３の取付部下面と操作レバー７の上面との間に挟まれ、且つピン軸１１に長孔１６を係合させることによって他端の位置が規定されている。
【００１２】
操作レバー駆動用モータ８を回転させると、スクリュー軸１５が回転し、これによってスクリュー軸１５の軸方向について板ナット部１４が移動する。従ってスライドバー９は、操作レバー７のピン軸１１を挿通した長孔１６の範囲を、キャリアアーム１の延在方向について直線移動可能である。このスライドバー９の直線運動は、スライドバー９のスロット１７に係合したピン１３に伝わり、操作レバー７の回動運動に変換される。これにより、操作レバー７に一体的に設けられた円弧状カム部１２が回動する。
【００１３】
円弧状カム部１２には、図４に示したように、高位部１８、低位部１９、及びこれらを接続する傾斜部２０が形成されており、水平面上での円弧状カム部１２の回動運動により、ターンテーブル３の支持軸１０に垂直方向（軸線方向）の力が加わるようになっている。
【００１４】
次にディスク保持装置２１について図３及び図４を参照して説明する。
本発明が適用されるディスク駆動用ターンテーブル３は、多極コア２２に巻回されたコイル２３と、多極コア２２の外周面と対峙する多数のロータマグネット２４を内周面に備えたアウタロータ２５とからなるブラシレスモータにおけるアウタロータ２５の天壁をなしており、多極コア２２と一体をなしてキャリアアーム１の他端に固定されたステータ２６の中心部に設けられた軸受２７に、ターンテーブル３の支持軸１０が、回転自在且つ軸方向変位可能に支持されている。
【００１５】
ターンテーブル３の中心部には、情報記録ディスク６の中心孔２８に嵌入する扁平な有底筒状をなすクランプホルダ２９が一体的に設けられている。このクランプホルダ２９の周壁及び上壁の外周部には、円周を等分割する（本実施例においては３等分）位置に、後記するクランプ片の突端を覗かせる切欠部３０が設けられている。
【００１６】
クランプ片３１は、上方から見て（図３参照）概ねクランク状に折曲されており、その中間部を、クランプホルダ２９の上壁内面に固着された軸３２に水平面上で旋回動自在なように支持されると共に、軸３２に巻装された捩りコイルばね３３により、その外端３１ａを切欠部３０から外方へ突出させる向きに常時弾発付勢されている。
【００１７】
他方、ステータ２６の中心部上面には、上方へ行くに連れて縮径する円錐台形をなす円錐カム３４が、その中心に支持軸１０を挿通した状態で固定されている。この円錐カム３４の斜面に、クランプ片３１の内端３１ｂが、当接可能に対峙している。
【００１８】
次にディスク保持装置２１の作動要領について説明する。
スライドバー９が、ターンテーブル３側へ移動した状態（図１、２参照）では、操作レバー７が図２上で反時計方向に回動させられ、円弧状カム部１２の高位部１８が支持軸１０を押し上げた状態となる（図４参照）。この状態では、支持軸１０と一体のクランプホルダ２９が持ち上がり、クランプ片３１の内端３１ｂが円錐カム３４の斜面から離れるので、クランプ片３１は捩りコイルばね３３の弾発力により、その外端３１ａをクランプホルダ２９の外周面から突出させる向きに回動する。これにより、クランプホルダ２９を嵌入させた情報記録ディスク６の中心孔２８にクランプ片３１の外端３１ａが干渉し、情報記録ディスク６がクランプホルダ２９から抜け止めされる。
【００１９】
スクリュー軸１５の回転でスライドバー９を固定軸側へ移動させると（図５、６参照）、操作レバー７が図６上で時計方向に回動し、円弧状カム部１２の低位部１９が支持軸１０の下面に対向する。そうすると、アウタロータ２５がその内周面に設けられたロータマグネット２４の磁気吸引力によって常時下向きに付勢されているので、支持軸１０は下向きに移動させられる（図８参照）。この時、クランプ片３１の内端３１ｂが円錐カム３４の斜面によって押し退けられ、各クランプ片３１が図７において反時計回りに回動し、その外端３１ａがクランプホルダ２９の外周面から内向きに入り込む。これにより、クランプ片３１の外端３１ａが情報記録ディスク６の中心孔２８の内周面と干渉しなくなるので、ターンテーブル３に対して情報記録ディスク６を脱却あるいは装着する際に、ディスク６に無用な力が加わらずに済む。
【００２０】
上述の実施例は、ターンテーブル３の支持軸１０を押し上げるとディスク保持装置２１がクランプ状態となる構成であるが、支持軸１０を引き下げるとディスク保持装置２１がクランプ状態となるように構成することもできる。以下にこのような構成の第２の実施形態について説明する。
【実施例２】
【００２１】
図９に示すように、この実施例におけるクランプホルダ２９の切欠部３０には、ボール４１が組み込まれており、切欠部３０の底面には、内側が低くなる斜面が設けられている。また切欠部３０の上面には、ボール４１に下向きの押圧力を作用させる板ばね４２が延出されている。そして円錐カム３４は、クランプホルダ２９の内周面に近接する直径とされ、その斜面にてボール４１を支えるようになっている。
【００２２】
他方、スライドバー９には、幅方向の中央部に支持軸１０の下端部を挿通すべく、スライドバー９の長手方向に沿う長孔４３が設けられ、長孔４３の長手方向中間部に、高位部４４、低位部４５、及び傾斜部４６からなる直線状カム部４７が設けられている。このように構成されたこの第２実施例においては、モータ８でスライドバー９を左右に移動させると、スライドバー９に設けられた直線状カム部４７の移動によって支持軸１０が上下に移動し、これに連動してクランプホルダ２９が上下動する。
【００２３】
図９は、この第２実施例によるディスク装着状態を示している。支持軸１０と共にクランプホルダ２９が引き下げられ、円錐カム３４の斜面によってボール４１が径方向外向きに押し出され、且つ板ばね４２によって抜け止めされている。そしてボール４１によってディスク６の中心孔２８がクランプされている。
【００２４】
ディスク６の脱却時は、スライドバー９を移動させて直線状カム部４７の高位部４４で支持軸１０を押し上げる。すると、ボール４１を径方向外向きに押し出していた円錐カム３４の斜面がボール４１から離れるので、ボール４１は、円錐カム３４の斜面に沿って降下しつつクランプホルダ２９の外周面から径方向内向きに変位する。これにより、情報記録ディスク６の中心孔２８の内周面にボール４１が干渉しなくなるので、ターンテーブル３に対して情報記録ディスク６を脱却あるいは装着する際に、ディスク６に無用な力が加わらずに済む。
【図面の簡単な説明】
【００２５】
【図１】本発明装置が適用されるキャリアアームのクランプ時の側面図である。
【図２】図１に示したキャリアアームの下面図である。
【図３】本発明装置のクランプ時の一部切除して示す上面図である。
【図４】本発明装置のクランプ時の縦断面図である。
【図５】キャリアアームのアンクランプ時の要部側面図である。
【図６】キャリアアームのアンクランプ時の要部下面図である。
【図７】本発明装置のアンクランプ時の一部切除して示す上面図である。
【図８】本発明装置のアンクランプ時の縦断面図である。
【図９】本発明装置の別実施例のクランプ時の縦断面図である。
【図１０】図８のスライドバーの下面図である。
【図１１】図９に示した別実施例の一部切除して示す上面図である。
【図１２】図９に示した別実施例のアンクランプ時の縦断面図である。
【符号の説明】
【００２６】
３  ターンテーブル
６  情報記録ディスク
１０  支持軸
１２  円弧状カム部（駆動手段）
２１  ディスク保持装置
２８  中心孔
２９  クランプホルダ（嵌合部）
３１  クランプ片（係止部材）
３４  円錐カム（変換手段）
４１  ボール（係止部材）
４７  直線状カム部（駆動手段）
【図１】
2007220199.tif 000003
【図２】
2007220199.tif 000004
【図３】
2007220199.tif 000005
【図４】
2007220199.tif 000006
【図５】
2007220199.tif 000007
【図６】
2007220199.tif 000008
【図７】
2007220199.tif 000009
【図８】
2007220199.tif 000010
【図９】
2007220199.tif 000011
【図１０】
2007220199.tif 000012
【図１１】
2007220199.tif 000013
【図１２】
2007220199.tif 000014